(57)【要約】【課題】測定結果の表示に際して対応する測定処理の測定条件に関する設定値を容易に認識し得る測定装置を提供する。【解決手段】予め設定された測定条件に基づく複数の測定処理を所定の順序で実行して各測定処理毎の測定結果を表示部４に表示させる制御部を備え、制御部は、各測定処理における各測定条件毎の複数の設定項目についての各設定値を表示させる設定値表示領域１６ａ，１６ｂと、各測定処理毎の測定結果を表示させる測定結果表示領域１５ａ，１５ｂとを各測定処理毎に関連付けて測定処理画面１０上に規定して、各設定値および測定結果を測定処理画面１０に表示させる。【選択図】図２
2006343111.tif 000002
【特許請求の範囲】
【請求項１】
予め設定された測定条件に基づく複数の測定処理を所定の順序で実行して当該各測定処理毎の測定結果を表示部に表示させる制御部を備え、
前記制御部は、前記各測定処理における各測定条件毎の複数の設定項目についての各設定値を表示させる設定値表示領域と、前記各測定処理毎の前記測定結果を表示させる測定結果表示領域とを当該各測定処理毎に関連付けて表示画面上に規定して、当該各設定値および当該測定結果を当該表示画面に表示させる測定装置。
【請求項２】
前記制御部は、前記各測定条件のうちのいずれかの測定条件についての前記設定値を変更する設定画面を表示させたときに、当該変更する測定条件以外の他の前記測定条件についての前記設定値表示領域および前記測定結果表示領域を当該設定画面中に規定して、対応する当該他の測定条件の前記各設定値および前記各測定結果を当該設定画面に表示させる請求項１記載の測定装置。
【請求項３】
前記表示部に表示させた仮想スイッチのスイッチ操作が可能に構成されたタッチパネルを備え、
前記制御部は、所定の前記仮想スイッチが操作されたときに当該所定の仮想スイッチに対応する前記測定条件についての前記設定画面を前記表示部に表示させる請求項２記載の測定装置。
【発明の詳細な説明】
【技術分野】
【０００１】
本発明は、予め設定された測定条件に基づく測定処理を実行してその測定結果を表示部に表示させる測定装置に関するものである。
【背景技術】
【０００２】
この種の測定装置として、出願人は、設定された測定条件に基づく測定処理を実行してその測定結果をディスプレイ（表示部）に表示させるＬＣＲメータを特開平９−２３６６２６号公報に開示している。このＬＣＲメータにおいて測定結果を表示させる際には、まず、所定のスイッチ操作によってデータ表示部（測定結果表示画面）をディスプレイに表示させる。この場合、データ表示部には、複数の測定条件に基づいて測定した各測定結果（データ格納用ＲＡＭに記憶させた複数の測定値）のうちから４つの測定結果を任意に選択して表示させる４つの表示領域が規定されている。また、各表示領域には、測定項目（測定内容）を表示する項目表示部と、その測定項目についての測定値を表示する測定値表示部とが規定されている。次いで、例えば最上部の表示領域における項目表示部に触れる（タッチする）ことにより、データ表示部の隣にパラメータ選択画面を表示させる。このパラメータ選択画面には、インピーダンスを表すシンボル記号「Ｚ」、位相角を表すシンボル記号「θ」、および損失係数を表すシンボル記号「Ｄ」などが表示される。この際に、例えば「Ｚ」のシンボル記号に触れることでインピーダンスを選択したときには、ＣＰＵが、最上部の表示領域における項目表示部に「Ｚ」のシンボル記号を表示させると共に、データ格納用ＲＡＭから対応する測定値（この例では、インピーダンス値）を読み出して最上部の表示領域における測定値表示部に表示させる。このように、各表示領域毎に、所望する測定項目を選択することにより、複数の測定結果のうちの４つの測定結果がディスプレイに表示される。
【０００３】
一方、特開２００２−５４９５３号公報には、測定条件の設定に際して複数の設定項目についての設定値を表示画面内に表示させる測定装置が開示されている。この測定装置において測定条件を設定する際には、まず、設定モード選択画面を表示させる。この際に、例えば「レンジ・アラーム」の設定モードが選択された際には、対応する設定画面（レンジ・アラーム設定画面）が表示される。この設定画面には、「レンジ」の設定項目として、モード、レンジ、スパン下限値およびスパン上限値の４つの設定項目が表示されると共に、「アラーム」の設定項目として、アラームＯＮ／ＯＦＦ、タイプ、アラーム値、リレーＯＮ／ＯＦＦおよび出力リレー番号の５つの設定項目が表示される。この状態において、カーソルキーやファンクションキー等を操作することにより、各設定項目毎に所望する設定値を選択（設定）する。また、すべての設定項目に対する設定値の選択が完了したときには、書き込みキーＥＮＴを操作してレンジ・アラーム設定モードを終了する。これにより、「レンジ・アラーム」についての上記の設定操作（設定値の選択）が有効となり、設定した測定条件に基づく測定処理が可能な状態となる。
【特許文献１】特開平９−２３６６２６号公報（第３−４頁、第１−６図）
【特許文献２】特開２００２−５４９５３号公報（第２−４頁、第１−４図）
【発明の開示】
【発明が解決しようとする課題】
【０００４】
ところが、出願人が開示しているＬＣＲメータには、以下の改善すべき課題がある。すなわち、このＬＣＲメータでは、測定結果を表示するデータ表示部内に、測定項目を表すシンボル記号と測定値とを各表示領域内に並べて表示させている。これにより、表示された測定値がどのような測定項目についての値であるかを確実かつ容易に認識させることが可能となっている。しかし、このＬＣＲメータでは、表示されている測定値についての測定条件（その測定値を取得した測定処理の測定条件）に関する情報が表示されていない。このため、例えば、どのような測定信号を用いて、どのようなサンプリングレートで測定処理したことで得られた測定値であるかの認識が可能となるように改善すべきとの課題がある。
【０００５】
一方、従来の測定装置には、以下の問題点がある。すなわち、従来の測定装置では、測定条件の設定に際して、まず、設定モード選択画面を表示させ、次いで、選択した設定モードについての設定画面上で各設定項目についての設定値を設定操作する構成が採用されている。この場合、この種の測定装置は、設定内容が相違する複数の測定条件毎に複数回の測定処理を順次実行して測定結果を表示させるといった使用方法が可能に構成されている。しかし、この測定装置では、複数の測定条件を設定する際に、その都度、設定モード選択画面および各モード毎の設定画面を切り換え表示させる必要がある。したがって、他の測定条件に関する設定値を参照しつつ設定作業を行うことができないため、これらを参照する際には、参照すべき測定条件についての設定画面に切り換え表示させ、その後に、設定対象の設定条件についての設定画面を再び表示させる必要がある。このため、従来の測定装置には、複数の測定条件を設定する設定作業が非常に煩雑であるという問題点が存在する。
【０００６】
本発明は、かかる課題および問題点に鑑みてなされたものであり、測定結果の表示に際して対応する測定処理の測定条件に関する設定値を容易に認識し得る測定装置を提供することを主目的とする。また、複数の測定条件を設定する設定作業を容易に実行し得る測定装置を提供することを他の目的とする。
【課題を解決するための手段】
【０００７】
上記目的を達成すべく請求項１記載の測定装置は、予め設定された測定条件に基づく複数の測定処理を所定の順序で実行して当該各測定処理毎の測定結果を表示部に表示させる制御部を備え、前記制御部は、前記各測定処理における各測定条件毎の複数の設定項目についての各設定値を表示させる設定値表示領域と、前記各測定処理毎の前記測定結果を表示させる測定結果表示領域とを当該各測定処理毎に関連付けて表示画面上に規定して、当該各設定値および当該測定結果を当該表示画面に表示させる。
【０００８】
請求項２記載の測定装置は、請求項１記載の測定装置において、前記各測定条件のうちのいずれかの測定条件についての前記設定値を変更する設定画面を表示させたときに、前記制御部が当該変更する測定条件以外の他の前記測定条件についての前記設定値表示領域および前記測定結果表示領域を当該設定画面中に規定して、対応する当該他の測定条件の前記各設定値および前記各測定結果を当該設定画面に表示させる。
【０００９】
請求項３記載の測定装置は、請求項２記載の測定装置において、前記表示部に表示させた仮想スイッチのスイッチ操作が可能に構成されたタッチパネルを備え、所定の前記仮想スイッチが操作されたときに前記制御部が当該所定の仮想スイッチに対応する前記測定条件についての前記設定画面を前記表示部に表示させる。
【発明の効果】
【００１０】
請求項１記載の測定装置によれば、各測定処理における測定条件毎の複数の設定項目についての各設定値を表示させる設定値表示領域と、各測定処理毎の測定結果を表示させる測定結果表示領域とを各測定処理毎に関連付けて表示画面上に規定して各設定値および測定結果を表示させることにより、表示画面の各測定結果表示領域に各測定条件に基づいて測定処理した測定結果を表示させた状態においてその測定条件の各設定項目についての設定値を表示できるため、例えば、どのような測定信号を用いて、どのようなサンプリングレートで測定処理した測定値であるかなどの各設定項目の内容を使用者に対して確実かつ容易に認識させることができる。
【００１１】
また、請求項２記載の測定装置によれば、各測定条件のうちのいずれかの測定条件についての設定値を変更する設定画面を表示させるときに、変更する測定条件以外の他の測定条件についての設定値表示領域および測定結果表示領域を設定画面中に規定して対応する各設定値および各測定結果を表示させることにより、変更対象以外の他の測定条件の設定値や測定結果を参照することができるため、変更対象の測定条件として所望の設定値を確実かつ容易に設定することができる。
【００１２】
さらに、請求項３記載の測定装置によれば、所定の仮想スイッチが操作されたときに対応する測定条件についての設定画面を表示部に表示させることにより、例えば表示部から離れた位置に配設された操作スイッチを操作して各設定項目毎の設定値を選択（設定）する構成とは異なり、表示部（設定画面）から目を離すことなく、所望の設定値を選択（設定）することができる。したがって、測定装置の操作に不慣れな者であったとしても、各測定条件毎の設定値を確実かつ容易に設定することができる。
【発明を実施するための最良の形態】
【００１３】
以下、添付図面を参照して、本発明に係る測定装置の最良の形態について説明する。
【００１４】
最初に、ＬＣＲメータ１の構成について、図面を参照して説明する。
【００１５】
図１に示すＬＣＲメータ１は、本発明に係る測定装置の一例であって、測定部２、操作部３、表示部４、制御部５および記憶部６を備えて構成されている。測定部２は、一例として、予め設定した２つの測定条件（本発明における複数の測定条件が２つの例）毎に制御部５の制御に従って所定の測定処理を実行する。また、測定部２は、測定処理時において、入力信号をアナログ−ディジタル変換して測定データを生成して制御部５に出力する。操作部３は、電源スイッチ、カーソル移動スイッチおよびファンクションスイッチ等（いずれも図示せず）などの複数の操作スイッチと、表示部４の正面側に配設されたタッチパネルとを備えて構成されている。表示部４は、一例としてＬＣＤパネルで構成され、制御部５の制御に従って測定処理画面１０（図２参照）や、測定条件設定画面２０ａ，２０ｂ（図３，４参照）などの各種表示画面を表示する。この場合、図２に示すように、測定処理画面１０には、第１表示領域１１から第３表示領域１３までの３つの表示領域が規定されると共に、第３表示領域１３の下方には、設定された測定条件に基づく測定処理を開始させるための測定開始スイッチ１４（タッチパネルによって操作可能な仮想スイッチ、以下、これらの各スイッチをそれぞれ仮想スイッチともいう）が表示されている。
【００１６】
第１表示領域１１は、前述した２つの測定条件のうちの一方（以下、「第１の測定条件」ともいう）に基づいて実行される測定処理に関する情報を表示する領域であって、第１の測定条件に基づいて測定された測定結果が表示される測定結果表示領域１５ａと、第１の測定条件の各設定項目についての設定値が表示される設定値表示領域１６ａとが規定されている。この場合、設定値表示領域１６ａには、第１の測定条件についての測定条件設定画面２０ａ（図３参照）を表示部４に表示させるための設定画面表示スイッチ３１ａ（仮想スイッチ）が表示されている。また、第２表示領域１２は、２つの測定条件のうちの他方（以下、「第２の測定条件」ともいう）に基づいて実行される測定処理に関する情報を表示する領域であって、第２の測定条件に基づいて測定された測定結果が表示される測定結果表示領域１５ｂと、第２の測定条件の各設定項目についての設定値が表示される設定値表示領域１６ｂとが規定されている。この場合、設定値表示領域１６ｂには、第２の測定条件についての測定条件設定画面２０ｂ（図４参照）を表示部４に表示させるための設定画面表示スイッチ３１ｂ（仮想スイッチ）が表示されている。さらに、第３表示領域１３は、測定部２から出力される測定データに対する補正処理に関する情報等を表示する領域であって、これらの情報と共に、補正条件を設定するための設定画面（図示せず）を表示部４に表示させるための設定画面表示スイッチ１３ａ（仮想スイッチ）が表示されている。
【００１７】
一方、測定条件設定画面２０ａ，２０ｂは、本発明における設定画面の一例であって、図３，４に示すように、第１の測定条件に関する情報を表示する第１表示領域１１と、第２の測定条件に関する情報を表示する第２表示領域１２と、測定値の補正に関する情報などを表示する第３表示領域１３との３つの表示領域が規定されている。この場合、測定条件設定画面２０ａは、前述したように測定処理画面１０が表示されている状態において第１表示領域１１内の設定画面表示スイッチ３１ａが操作されることによって表示される設定画面であって、図３に示すように、測定条件の設定対象ではない第２の測定条件についての測定結果表示領域１５ｂおよび設定値表示領域１６ｂが第２表示領域１２内に表示された状態が維持されている。また、測定条件の設定対象である第１の測定条件については、測定結果表示領域１５ａが第１表示領域１１内に表示された状態が維持されつつ、第１の測定条件についての各設定項目の設定値を選択（変更）するための設定値表示領域２６ａが測定処理画面１０における設定値表示領域１６ａに代えて第１表示領域１１内に表示される。また、設定値表示領域２６ａには、レンジ切換えスイッチ３２、ディレイ切換えスイッチ３３、スピード切換え３４スイッチおよびアベレージ切換えスイッチ３５などの設定値変更スイッチ（仮想スイッチ）と、第１の測定条件についての設定を終了して測定条件設定画面２０ａに代えて測定処理画面１０を表示部４に表示させる測定処理画面表示スイッチ３６ａとが表示されている。
【００１８】
また、測定条件設定画面２０ｂは、前述したように測定処理画面１０が表示されている状態において第２表示領域１２内の設定画面表示スイッチ３１ｂが操作されることによって表示される設定画面であって、図４に示すように、測定条件の設定対象ではない第１の測定条件についての測定結果表示領域１５ａおよび設定値表示領域１６ａが第１表示領域１１内に表示された状態が維持されている。また、測定条件の設定対象である第２の測定条件については、測定結果表示領域１５ｂが第２表示領域１２に表示された状態が維持されつつ、第２の測定条件についての各設定項目の設定値を選択（変更）するための設定値表示領域２６ｂが測定処理画面１０における設定値表示領域１６ｂに代えて第２表示領域１２内に表示される。また、設定値表示領域２６ｂには、レンジ切換えスイッチ３２、ディレイ切換えスイッチ３３、スピード切換え３４スイッチおよびアベレージ切換えスイッチ３５などの設定値変更スイッチ（仮想スイッチ）と、第２の測定条件についての設定を終了して測定条件設定画面２０ｂに代えて測定処理画面１０を表示部４に表示させる測定処理画面表示スイッチ３６ｂとが表示されている。
【００１９】
制御部５は、測定部２から出力された測定データの記憶部６への記憶制御、記憶させた測定データに基づく測定結果の表示制御、操作部３の各操作スイッチまたはタッチパネルの操作に伴う表示画面の切り換え制御、並びに、測定部２による測定処理の測定条件に基づく制御などを実行する。記憶部６は、測定部２から出力された測定データや、第１および第２の測定条件などを記憶する。
【００２０】
次に、ＬＣＲメータ１の全体的な動作について、図面を参照して説明する。
【００２１】
まず、図２に示すように、所定のスイッチ操作によって測定処理画面１０を表示部４に表示させる。この場合、各測定条件に基づく測定処理が未実行であるこの段階では、同図に示す状態とは異なり、測定処理画面１０の測定結果表示領域１５ａ，１５ｂには測定結果が表示されていないものとする。次いで、第１の測定条件を設定する。具体的には、第１表示領域１１内の設定画面表示スイッチ３１ａを操作することにより、図３に示すように、測定条件設定画面２０ａを表示部４に表示させる。この場合、測定処理が未実行であるこの段階では、同図に示す状態とは異なり、測定結果表示領域１５ａ，１５ｂには測定結果が表示されていないものとする。また、両測定条件についての設定作業が開始された直後のこの段階では、設定値表示領域２６ａ，１６ｂには、測定条件についてのデフォルト値が表示されているものとする。
【００２２】
続いて、レンジ切換えスイッチ３２、ディレイ切換えスイッチ３３、スピード切換えスイッチ３４、アベレージ切換えスイッチ３５およびカーソル移動スイッチ等を操作することにより、設定値表示領域２６ａに表示されている各設定項目の設定値を所望の設定値に変更する。具体的には、例えば、測定結果の表示レンジを変更（設定）する際には、一例として、操作部３のタッチパネルにおけるレンジ切換えスイッチ３２の部位を操作する。この際には、第１の測定条件におけるレンジの設定項目に関する設定値として選択可能な複数の設定値候補が測定条件設定画面２０ａ上にポップアップ表示される（図示せず）。次いで、所望のレンジ（一例として、１７０μＦ）を選択することにより、ポップアップ表示されていたレンジの設定値候補が消えて、設定値表示領域２６ａにおける「ＲＡＮＧＥ」の部位に、設定値として選択した「１７０μＦ」が表示される。同様にして、「ＦＲＥＱ」、「ＤＥＬＡＹ」、「ＳＰＥＥＤ」、「Ｖ」および「ＡＶＥ」等の各設定項目についても所望の設定値を設定する。
【００２３】
次いで、第２の測定条件を設定する。具体的には、測定条件設定画面２０ａにおける第２表示領域１２の設定画面表示スイッチ３１ｂを操作することにより、図４に示すように、測定条件設定画面２０ａに代えて測定条件設定画面２０ｂを表示部４に表示させる。この際に、制御部５は、測定条件設定画面２０ａにおける設定値表示領域２６ａに表示させていた各設定値を第１の測定条件として確定して記憶部６に記憶させる。なお、測定処理が未実行であるこの段階では、同図に示す状態とは異なり、測定結果表示領域１５ａ，１５ｂには測定結果が表示されていないものとする。また、第２の測定条件についての設定作業が開始された直後のこの段階では、設定値表示領域２６ｂには、測定条件についてのデフォルト値が表示されているものとする。さらに、第１表示領域１１の設定値表示領域１６ａには、前述した測定条件設定画面２０ａを表示させた状態において設定値表示領域２６ａに表示されていた設定値（第１の測定条件として記憶部６に記憶された各設定値）が表示された状態が維持される。
【００２４】
続いて、レンジ切換えスイッチ３２、ディレイ切換えスイッチ３３、スピード切換えスイッチ３４、アベレージ切換えスイッチ３５およびカーソル移動スイッチ等を操作することにより、設定値表示領域２６ｂに表示されている各設定項目の設定値を所望の設定値に変更する。この際に、第１の測定条件として設定した各設定項目の設定値が設定値表示領域１６ａに表示されているため、第１の測定条件についての設定値を参照しつつ、第２の測定条件についての各設定項目に所望の設定値を設定する。次いで、測定条件設定画面２０ｂにおける第２表示領域１２の測定処理画面表示スイッチ３６ｂを操作することにより、図２に示すように、測定条件設定画面２０ｂに代えて測定処理画面１０を表示部４に表示させる。この際に、制御部５は、測定条件設定画面２０ｂにおける設定値表示領域２６ｂに表示させていた各設定値を第２の測定条件として確定して記憶部６に記憶させる。また、制御部５は、測定条件設定画面２０ａ，２０ｂを表示させた状態において設定された（記憶部６に記憶させた）両測定条件毎の設定値を測定処理画面１０の設定値表示領域１６ａ，１６ｂに表示させる。
【００２５】
次いで、例えば測定開始スイッチ１４を操作することによって第１の測定条件に基づく測定処理を開始する。この際には、制御部５は、記憶部６に記憶させた第１の測定条件に基づいて測定部２を制御することにより、例えば、測定対象体の静電容量（「Ｃｓ」）と損失係数（「Ｄ」）とを測定させる。また、制御部５は、測定部２から出力される測定データを記憶部６に順次記憶させると共に、その測定データに基づいて演算した測定結果を測定処理画面１０における第１表示領域１１の測定結果表示領域１５ａに表示させる。なお、第２の測定条件に基づく測定処理が未実行であるこの段階では、図２に示す状態とは異なり、測定結果表示領域１５ｂには測定結果が表示されていないものとする。続いて、制御部５は、第１の測定条件に基づく測定処理が完了した時点において、第２の測定条件に基づく測定処理を開始する。この際には、制御部５は、記憶部６に記憶させた第２の測定条件に基づいて測定部２を制御することにより、例えば、測定対象体の抵抗値（「Ｒｓ」）を測定させる。また、制御部５は、測定部２から出力される測定データを記憶部６に順次記憶させると共に、その測定データに基づいて演算した測定結果を測定処理画面１０における第２表示領域１２の測定結果表示領域１５ｂに表示させる。これにより、両測定条件に基づく一連の測定処理が完了し、同図に示すように、各測定条件毎の測定結果が表示部４（測定処理画面１０）に表示される。
【００２６】
このように、このＬＣＲメータ１によれば、各測定処理における測定条件毎の複数の設定項目についての各設定値を表示させる設定値表示領域１６ａ，１６ｂと、各測定処理毎の測定結果を表示させる測定結果表示領域１５ａ，１５ｂとを各測定処理毎に関連付けて測定処理画面１０上に規定して各設定値および測定結果を表示させることにより、測定処理画面１０の測定結果表示領域１５ａ，１５ｂに両測定条件に基づいて測定処理した測定結果を表示させた状態においてその測定条件の各設定項目についての設定値を表示できるため、例えば、どのような測定信号を用いて、どのようなサンプリングレートで測定処理した測定値であるかなどの各設定項目の内容を使用者に対して確実かつ容易に認識させることができる。
【００２７】
また、このＬＣＲメータ１によれば、各測定条件のうちのいずれかの測定条件についての設定値を変更する設定画面（例えば、測定条件設定画面２０ｂ）を表示させるときに、変更する測定条件（この例では、第２の測定条件）以外の他の測定条件（第１の測定条件）についての設定値表示領域１６ａおよび測定結果表示領域１５ａを測定条件設定画面２０ｂ中に規定して対応する各設定値および各測定結果を表示させることにより、変更対象以外の他の測定条の設定値や測定結果を参照することができるため、変更対象の測定条件として所望の設定値を確実かつ容易に設定することができる。
【００２８】
さらに、このＬＣＲメータ１によれば、所定の仮想スイッチ（設定画面表示スイッチ３１ａ，３１ｂ）が操作されたときに対応する測定条件についての測定条件設定画面２０ａ，２０ｂを表示部４に表示させることにより、例えば表示部４から離れた位置に配設された操作スイッチを操作して各設定項目毎の設定値を選択（設定）する構成とは異なり、表示部４（測定条件設定画面２０ａ，２０ｂ）から目を離すことなく、所望の設定値を選択（設定）することができる。したがって、ＬＣＲメータ１等の測定装置の操作に不慣れな者であったとしても、各測定条件毎の設定値を確実かつ容易に設定することができる。
【００２９】
なお、本発明は、上記の構成に限定されない。例えば、上記のＬＣＲメータ１では、本発明における複数の測定条件としての２つの測定条件に基づいて測定処理を実行可能に構成されているが、本発明はこれに限定されず、３つ以上の測定条件に基づいて従って各測定処理を順次実行可能に構成することもできる。この構成を採用したときには、測定処理画面の表示に際して、各測定条件毎の測定結果表示領域および設定値表示領域を測定処理画面上に規定して、各設定値および測定結果を対応する各表示領域に表示させる。また、この構成を採用したときには、測定条件設定画面の表示に際して、設定変更対象とは相違する他の測定条件についての設定値表示領域および測定結果表示領域を表示させる。これにより、前述したＬＣＲメータ１と同様にして、測定処理画面における各測定条件毎の測定値の認識が容易となると共に、測定条件設定画面を表示させた状態において他の測定条件についての設定値を参照して設定操作を行うことができる。さらに、上記のＬＣＲメータ１では、測定処理画面１０を表示させた状態において第１および第２の測定条件のいずれかを設定する際に、測定処理画面１０に代えて測定条件設定画面２０ａ，２０ｂを表示部４に表示させているが、本発明はこれに限定されず、測定処理画面１０を表示させた状態において、測定条件設定画面２０ａ，２０ｂに切り換え表示することなく、各設定値表示領域１６ａ，１６ｂ内の設定値を変更可能に構成することもできる。
【図面の簡単な説明】
【００３０】
【図１】ＬＣＲメータ１の構成を示すブロック図である。
【図２】測定処理画面１０の一例を示す表示画面図である。
【図３】測定条件設定画面２０ａの一例を示す表示画面図である。
【図４】測定条件設定画面２０ｂの一例を示す表示画面図である。
【符号の説明】
【００３１】
１  ＬＣＲメータ
２  測定部
３  操作部
４  表示部
５  制御部
６  記憶部
１０  測定処理画面
１１〜１３  第１〜第３表示領域
１５ａ，１５ｂ  測定結果表示領域
１６ａ，１６ｂ  設定値表示領域
２０ａ，２０ｂ  測定条件設定画面
２６ａ，２６ｂ  設定値表示領域
３１ａ，３１ｂ  設定画面表示スイッチ
【図１】
2006343111.tif 000003
【図２】
2006343111.tif 000004
【図３】
2006343111.tif 000005
【図４】
2006343111.tif 000006